(57)【要約】【課題】長年に渡って見栄えが良く、また高級感がある天井取り付け文字を提供する。【解決手段】神棚１の真上の天井４の面に取着される天井取り付け文字６を、肉厚の「雲」の文字で形成するもので、経年変形がなく、立体感、高級感が得られるので、見栄えが良い。【選択図】　図２
0003097515.tif 000002
【実用新案登録請求の範囲】
【請求項１】
神棚の真上の天井の面に取着され、肉厚の「雲」、「天」、「空」などの文字からなる天井取り付け文字。
【請求項２】
木材又は、金属又はプラスチックからなる板材より文字をくり抜いて形成した請求項１記載の天井取り付け文字。
【請求項３】
金属やプラスチック等で成型または、金属やプラスチック製の薄いシートに絞り加工を施して文字を形成した請求項１記載の天井取り付け文字。
【請求項４】
紙又は木片のチップを圧縮成型して文字を形成した請求項１記載の天井取り付け文字。
【請求項５】
文字の表面に、木目模様或いは、銀色などの表面処理加工を施した請求項１〜３のいずれか１項記載の天井取り付け文字。
【請求項６】
木ネジ、くぎ等で天井面に固定するための取り付け孔を設けた請求項１〜４のいずれか１項記載の天井取り付け文字。
【考案の詳細な説明】
【考案の属する技術分野】
本考案は、一般家庭や事務所などに設けられた神棚の真上の天井の面に取り付けられる天井取り付け文字に関するものである。
【従来の技術】
日本古来より、神社で頂いたお神札をお祀りし、神さまへの日々の感謝の念を現すと共に、家内安全、商売繁盛、五穀豊穣をお祈りするための神棚がある。神棚は清潔で、静かで高い場所で、しかも家族が親しめる明るい場所に祀られる。図３は、従来の神棚の設置例を示すもので、神棚１は、神社で頂いたお神札を収納してお祀りする社２と、社２を乗せるための棚３で構成され、天井４に近い高い所に設けられている。
家が二階建てで、一階の部屋に神棚１が祀られ、その神棚１の上に二階の廊下などがあり、頻繁に人が歩くような場合、神を足下に踏みつけることになることから、神棚１の上の天井に、「ここより上は何も無い」という意味を現すために、「雲」、「天」、あるいは「空」と墨書きした白紙５〈半紙〉を貼ることが一般的に行われている。なお、「雲」、「天」、「空」が書かれた白紙５は、それぞれ、雲紙、天紙、空紙とも呼ばれている。最近は、白紙５に「雲」、「天」、「空」の文字を黒色で印刷したものも多数出まわっている。
【考案が解決しようとする課題】
雲、天、空の文字はいずれも、白紙５に墨で書かれたり、或いは印刷されたものであるため、長年経過すると、白紙５が黄色く変色したり、黒ずんで来たり、まためくれたり、湿気によりでこぼこしてきたりして、非常に見苦しいものであった。また、新築の家の天井の場合、白紙５が、綺麗な天井板に似合わず、安っぽく見え、見栄えが非常に悪いと言う問題があった。
本考案は、上記課題を解決し、神棚の上の天井に貼っても、長年に渡って見栄えが良く、また高級感があって、天井に溶けこみ一体感のある天井取り付け文字を提供することを目的とするものである。
【課題を解決するための手段】
上記目的を達成するために、本考案は、神棚の真上の天井の面に取着される天井取り付け文字を、肉厚の「雲」、「天」、「空」などの文字で形成するもので、白い紙を使用しないので、経年変化で紙が黄色く変色したり、黒ずんだりすることが無く、また、肉厚の文字なので、文字自体が変形することもなく、また立体感が得られ、美的にも優れている。
【考案の実施の形態】
請求項１記載の考案は、神棚の真上の天井の面に取着される天井取り付け文字を、肉厚の「雲」、「天」、「空」などの文字で形成するもので、文字自体が変形することもなく、また立体感が得られ、見栄えが良いものである。
請求項２記載の考案は、請求項１記載の文字を木材又は、金属又はプラスチックからなる板材より文字をくり抜いて形成するもので、大きさや、書体が多種多様な文字を容易に供給することができる。
請求項３記載の考案は、請求項１記載の文字を、金属やプラスチック等で成型または、金属やプラスチック製の薄いシートに絞り加工を施して形成するもので、量産効果で安価に天井取り付け文字を供給することができる。
した請求項１記載の天井取り付け文字。
請求項４記載の考案は、紙又は木片のチップを圧縮成型して文字を形成するもので、従来廃棄されていた古紙や木片を使用することにより、自然保護に役立つと共に、安価な天井取り付け文字を提供することができる。
請求項５記載の考案は、文字の表面に、木目模様或いは、銀色などの表面処理加工を施すもので、見栄えがよく、高級感があり、しかも重厚な天井取り付け文字を提供することができる。
請求項６記載の考案は、木ネジ、くぎ等で天井面に固定するための取り付け孔を設けたもので、天井への天井取り付け文字の取り付けが簡単にできるものである。
【実施例】
以下に本考案の実施例を図１、図２を用いて説明する。なお、従来例と同一部分については、同一名称、同一符号を付してその詳細な説明を省略する。
図１は、本考案の天井取り付け文字６の一実施例を示すもので、図２は、神棚１の真上の天井４に天井取り付け文字６を取り付けた例を示すものである。
天井取り付け文字６は、杉や桐等の木の板材を糸鋸などを用い「雲」の字にくりぬいて形成されたもので、７は、天井取り付け文字６を、天井４にくぎや木ネジなどで固定するための取付孔で、略中央に設けられている。
本実施例では、文字として「雲」を採用したが、その他の文字として、従来同様「天」、「空」が一般的である。
特に文字を木材からくりぬいて形成した場合は、同じく木材から形成された神棚１や天井４と良く調和し、一体感があり、非常に見栄えが良いものである。
また、板材は、特に木材に限定されるものではなく、鉄板、銅板などの金属板、アクリル、ＡＳ、ＰＰ等のプラスチック製の板材であっても良い。要は、従来のように薄い紙に印刷若しくは墨書きした文字でなく、ある程度の肉厚を有する板材からくり抜いて形成することである。板材の厚み、すなわち文字の厚みは、立体感を演出するために５ｍｍ以上が望ましい。
このように、本考案によれば、従来のような白紙を使用しないので、経年変化で黄ばんだり、めくれたりすることが無く、また、文字が肉厚なので、文字自体が変形することもなく、さらに立体感が得られるので、非常に見栄えが良い。
また、文字を板材からくりぬいて作成するようにすると、顧客の材質、書体、文字の大きさに対する多種多様な好みに臨機に応じることができる。
又、板材から文字をくり抜く替わりに、金型を用いて、金属やプラスチック等で成型したり、或いは、金属やプラスチックからなる薄いシート材を絞り加工して文字を製造するようにしても良い。そうすれば、安価に多量に、しかも早く製造することができることは言うまでもない。
あるいは、紙は木片のチップを圧縮成型して文字を形成するようにすれば、従来廃棄されていた古紙、木片の有効活用が図られ、しかも安価な天井取り付け文字を提供することができる。
また、文字の表面に、木目模様の表面処理加工を施すようにすれば、同じく木材で形成された神棚や天井と釣り合いがとれ、見栄えが良くなる。また、事務所などの殺風景な天井にも良く似合うようになる。
また、文字の表面を銀色で仕上げるようにすることで、重厚な感じを出すこともできることは言うまでもない。
また、取り付け文字に取り付け孔を設けることで、ネジ、くぎなどによる取り付け文字の天井への取り付けが極めて容易且つ確実にできるものである。
なお、取り付け文字の天井への取り付けは、ネジ、くぎに限らず、両面テープや、接着剤を使用しても良いことはあきらかである。
【考案の効果】
以上のように、本考案によれば、長年に渡って変形することなく、見栄えが良く、高級感にあふれた天井取り付け文字を提供することができるものである。
【図面の簡単な説明】
【図１】本考案の一実施例を示す天井取り付け文字の斜視図
【図２】同天井取り付け文字を天井に取り付けた様子を示す図
【図３】従来の「雲」を墨書きした白紙を天井に貼った様子を示す図
【符号の説明】
１　神棚
２　社
３　棚
４　天井
６　天井取り付け文字
７　取付孔
【図１】
0003097515.tif 000003
【図２】
0003097515.tif 000004
【図３】
0003097515.tif 000005
【手続補正書】
【提出日】平成15年6月2日(2003.6.2)
【手続補正１】
【補正対象書類名】明細書
【補正対象項目名】全文
【補正方法】変更
【補正の内容】
【考案の詳細な説明】
【実用新案登録請求の範囲】
【請求項１】神棚の真上の天井の面に取着され、肉厚の「雲」、「天」、「空」などの文字からなる天井用文字状飾り。
【請求項２】木材又は、金属又はプラスチックからなる板材より文字をくり抜いて形成した請求項１記載の天井用文字状飾り。
【請求項３】金属やプラスチック等で成型または、金属やプラスチック製の薄いシートに絞り加工を施して文字を形成した請求項１記載の天井用文字状飾り。
【請求項４】紙又は木片のチップを圧縮成型して文字を形成した請求項１記載の天井用文字状飾り。
【請求項５】文字の表面に、木目模様或いは、銀色などの表面処理加工を施した請求項１〜３のいずれか１項記載の天井用文字状飾り。
【請求項６】木ネジ、くぎ等で天井面に固定するための取り付け孔を設けた請求項１〜４のいずれか１項記載の天井用文字状飾り。
【考案の詳細な説明】
【考案の属する技術分野】
本考案は、一般家庭や事務所などに設けられた神棚の真上の天井の面に取り付けられる天井用文字状飾りに関するものである。
【従来の技術】
日本古来より、神社で頂いたお神札をお祀りし、神さまへの日々の感謝の念を現すと共に、家内安全、商売繁盛、五穀豊穣をお祈りするための神棚がある。神棚は清潔で、静かで高い場所で、しかも家族が親しめる明るい場所に祀られる。図３は、従来の神棚の設置例を示すもので、神棚１は、神社で頂いたお神札を収納してお祀りする社２と、社２を乗せるための棚３で構成され、天井４に近い高い所に設けられている。
家が二階建てで、一階の部屋に神棚１が祀られ、その神棚１の上に二階の廊下などがあり、頻繁に人が歩くような場合、神を足下に踏みつけることになることから、神棚１の上の天井に、「ここより上は何も無い」という意味を現すために、「雲」、「天」、あるいは「空」と墨書きした白紙５（半紙）を貼ることが一般的に行われている。なお、「雲」、「天」、「空」が書かれた白紙５は、それぞれ、雲紙、天紙、空紙とも呼ばれている。最近は、白紙５に「雲」、「天」、「空」の文字を黒色で印刷したものも多数出まわっている。
【考案が解決しようとする課題】
雲、天、空の文字はいずれも、白紙５に墨で書かれたり、或いは印刷されたものであるため、長年経過すると、白紙５が黄色く変色したり、黒ずんで来たり、まためくれたり、湿気によりでこぼこしてきたりして、非常に見苦しいものであった。また、新築の家の天井の場合、白紙５が、綺麗な天井板に似合わず、安っぽく見え、見栄えが非常に悪いと言う問題があった。
本考案は、上記課題を解決し、神棚の上の天井に貼っても、長年に渡って見栄えが良く、また高級感があって、天井に溶けこみ一体感のある天井用文字状飾りを提供することを目的とするものである。
【課題を解決するための手段】
上記目的を達成するために、本考案は、神棚の真上の天井の面に取着される天井用文字状飾りを、肉厚の「雲」、「天」、「空」などの文字で形成するもので、白い紙を使用しないので、経年変化で紙が黄色く変色したり、黒ずんだりすることが無く、また、肉厚の文字なので、文字自体が変形することもなく、また立体感が得られ、美的にも優れている。
【考案の実施の形態】
請求項１記載の考案は、神棚の真上の天井の面に取着される天井用文字状飾りを、肉厚の「雲」、「天」、「空」などの文字で形成するもので、文字自体が変形することもなく、また立体感が得られ、見栄えが良いものである。
請求項２記載の考案は、請求項１記載の文字を木材又は、金属又はプラスチックからなる板材より文字をくり抜いて形成するもので、大きさや、書体が多種多様な文字を容易に供給することができる。
請求項３記載の考案は、請求項１記載の文字を、金属やプラスチック等で成型または、金属やプラスチック製の薄いシートに絞り加工を施して形成するもので、量産効果で安価に天井用文字状飾りを供給することができる。
請求項４記載の考案は、紙又は木片のチップを圧縮成型して文字を形成するもので、従来廃棄されていた古紙や木片を使用することにより、自然保護に役立つと共に、安価な天井用文字状飾りを提供することができる。
請求項５記載の考案は、文字の表面に、木目模様或いは、銀色などの表面処理加工を施すもので、見栄えがよく、高級感があり、しかも重厚な天井用文字状飾りを提供することができる。
請求項６記載の考案は、木ネジ、くぎ等で天井面に固定するための取り付け孔を設けたもので、天井への天井用文字状飾りの取り付けが簡単にできるものである。
【実施例】
以下に本考案の実施例を図１、図２を用いて説明する。なお、従来例と同一部分については、同一名称、同一符号を付してその詳細な説明を省略する。
図１は、本考案の天井用文字状飾り６の一実施例を示すもので、図２は、神棚１の真上の天井４に天井用文字状飾り６を取り付けた例を示すものである。
天井用文字状飾り６は、杉や桐等の木の板材を糸鋸などを用い「雲」の字にくりぬいて形成されたもので、７は、天井用文字状飾り６を、天井４にくぎや木ネジなどで固定するための取付孔で、略中央に設けられている。
本実施例では、文字として「雲」を採用したが、その他の文字として、従来同様「天」、「空」が一般的である。
特に文字を木材からくりぬいて形成した場合は、同じく木材から形成された神棚１や天井４と良く調和し、一体感があり、非常に見栄えが良いものである。
また、板材は、特に木材に限定されるものではなく、鉄板、銅板などの金属板、アクリル、ＡＳ、ＰＰ等のプラスチック製の板材であっても良い。要は、従来のように薄い紙に印刷若しくは墨書きした文字でなく、ある程度の肉厚を有する板材からくり抜いて形成することである。板材の厚み、すなわち文字の厚みは、立体感を演出するために５ｍｍ以上が望ましい。
このように、本考案によれば、従来のような白紙を使用しないので、経年変化で黄ばんだり、めくれたりすることが無く、また、文字が肉厚なので、文字自体が変形することもなく、さらに立体感が得られるので、非常に見栄えが良い。
また、文字を板材からくりぬいて作成するようにすると、顧客の材質、書体、文字の大きさに対する多種多様な好みに臨機に応じることができる。
又、板材から文字をくり抜く替わりに、金型を用いて、金属やプラスチック等で成型したり、或いは、金属やプラスチックからなる薄いシート材を絞り加工して文字を製造するようにしても良い。そうすれば、安価に多量に、しかも早く製造することができることは言うまでもない。
あるいは、紙は木片のチップを圧縮成型して文字を形成するようにすれば、従来廃棄されていた古紙、木片の有効活用が図られ、しかも安価な天井用文字状飾りを提供することができる。
また、文字の表面に、木目模様の表面処理加工を施すようにすれば、同じく木材で形成された神棚や天井と釣り合いがとれ、見栄えが良くなる。また、事務所などの殺風景な天井にも良く似合うようになる。
また、文字の表面を銀色で仕上げるようにすることで、重厚な感じを出すこともできることは言うまでもない。
また、取り付け文字に取り付け孔を設けることで、ネジ、くぎなどによる取り付け文字の天井への取り付けが極めて容易且つ確実にできるものである。
なお、取り付け文字の天井への取り付けは、ネジ、くぎに限らず、両面テープや、接着剤を使用しても良いことはあきらかである。
【考案の効果】
以上のように、本考案によれば、長年に渡って変形することなく、見栄えが良く、高級感にあふれた天井用文字状飾りを提供することができるものである。
【図面の簡単な説明】
【図１】本考案の一実施例を示す天井用文字状飾りの斜視図
【図２】同天井用文字状飾りを天井に取り付けた様子を示す図
【図３】従来の「雲」を墨書きした白紙を天井に貼った様子を示す図
【符号の説明】
１　神棚
２　社
３　棚
４　天井
６　天井用文字状飾り
７　取付孔